(57)【特許請求の範囲】
【請求項１】
ＰＬＬ制御により発振出力信号を発する第１及び第２の電圧制御発振回路と、
前記第１及び第２の電圧制御発振回路のいずれか一方を選択して外部と接続することにより当該選択した電圧制御発振回路の発振出力信号を外部に与える切替スイッチと、
各電圧制御発振回路に対して、電源電圧として所定電圧未満の電圧を与えてから、電源電圧として与える電圧を所定電圧に切り替える電源電圧制御手段と、
第１期間において第１の電圧制御発振回路を選択し、前記第１期間に続く第２期間において第２の電圧制御発振回路を選択するように前記切替スイッチを制御するスイッチ制御手段とを備え、
前記電源電圧制御手段は、
前記第２期間において第２の電圧制御発振回路に所定電圧を与え、
前記第１期間内であって前記第２期間の直前の、第２の電圧制御発振回路についての発振出力信号の周波数を固定させるために必要な所定期間において、第２の電圧制御発振回路に前記所定電圧未満の電圧を与える
ことを特徴とする発振出力切替装置。
【請求項２】
無線基地局と時分割多重方式により無線通信を行う無線電話装置であって、
アンテナを介して無線基地局と通信する高周波無線部と、
ＰＬＬ制御により互いに異なる周波数の発振出力信号を発する第１及び第２の電圧制御発振回路と、
前記第１及び第２の電圧制御発振回路のいずれか一方を選択して、前記高周波無線部と接続することにより当該選択した電圧制御発振回路の発振出力信号を前記高周波無線部に与える切替スイッチと、
前記第１及び第２の電圧制御発振回路への電源電圧の供給制御と前記切替スイッチの切替制御とを行う制御手段とを備え、
前記制御手段は、
第１タイムスロットにおいて第１の電圧制御発振回路を選択し前記第１タイムスロットに続く第２タイムスロットにおいて第２の電圧制御発振回路を選択するように前記切替スイッチを制御し、
前記第２タイムスロットにおいて第２の電圧制御発振回路に所定電圧を与え、
前記第１タイムスロット内であって前記第２タイムスロットの直前の、第２の電圧制御発振回路についての発振出力信号の周波数を固定させるために必要な所定期間において、第２の電圧制御発振回路に前記所定電圧未満の電圧を与える
ことを特徴とする無線電話装置。
【請求項３】
ＰＬＬ制御により発振出力信号を発する第１及び第２の電圧制御発振回路と、前記第１及び第２の電圧制御発振回路のいずれか一方を選択して外部と接続することにより当該選択した電圧制御発振回路の発振出力信号を外部に与える切替スイッチとを備える装置において、前記第１及び第２の電圧制御発振回路への電源電圧の供給制御と前記切替スイッチの切替制御とを行う発振出力切替制御方法であって、
第１期間において第１の電圧制御発振回路を選択し前記第１期間に続く第２期間において第２の電圧制御発振回路を選択するように前記切替スイッチを制御し、
前記第２期間において第２の電圧制御発振回路に所定電圧を与え、
前記第１期間内であって前記第２期間の直前の、第２の電圧制御発振回路についての発振出力信号の周波数を固定させるために必要な所定期間において、第２の電圧制御発振回路に前記所定電圧未満の電圧を与える
ことを特徴とする発振出力切替制御方法。
【発明の詳細な説明】
【０００１】
【発明の属する技術分野】
本発明は、２つの電圧制御発振回路（ＶＣＯ：Ｖｏｌｔａｇｅ  Ｃｏｎｔｒｏｌｌｅｄ  Ｏｓｃｉｌａｔｏｒ）の発振出力を切り替えるための制御に関し、特に、ＰＨＳ（パーソナル・ハンディホン・システム）携帯機等、ＴＤＭＡ（時分割多重）方式を用いた無線通信システムの携帯電話機において２つの局部発振回路を切り替えるための制御に関する。
【０００２】
【従来の技術】
従来、ＰＨＳ等の無線通信システムでは無線基地局と携帯機との間での通信はＴＤＭＡ方式により行われている。
【０００３】
ＰＨＳ規格では、５ｍｓの周期のＴＤＭＡフレームを８等分して８つのタイムスロット、即ち第１番目から第４番目までの４つの６２５μｓの送信タイムスロットと第１番目から第４番目までの４つの６２５μｓの受信タイムスロットとを定めており、通常１台のＰＨＳ携帯機は、第Ｎ番目の送信タイムスロットと第Ｎ番目の受信タイムスロットとの組である１つの時分割チャネルを用いて無線基地局との間で通信を行う。
【０００４】
また最近では、ＰＨＳ携帯機には、通話中に１つの時分割チャネルを用いて通信を行いながら、その他の時分割チャネルに該当する時間、即ち、通信を行っている他の送信タイムスロット及び他の受信タイムスロットにおいて、より強い電波の無線基地局をサーチすることによりシームレスハンドオーバを実現するいわゆるツインウェーブ機能を搭載したものもある。このようなＰＨＳ携帯機は、例えば、いずれかの１組の送信タイムスロット及び受信タイムスロットを用いて通信チャネルで通信を行い、１組のスロットで通話を連続して維持しつつ、同時に空いた３組のスロットで制御チャネルのサーチと通信後、通信チャネルまで移行する必要がある。
【０００５】
また最近、高速にデータ通信を行うために連続する２つの時分割チャネルに相当する時間において、時分割チャネルに相当する時間毎に異なる周波数を用いてデータ通信を行うＰＨＳ携帯機も現れている。このようなＰＨＳ携帯機においても、連続する送信タイムスロットや受信タイムスロットにおいて通信周波数をある周波数から他の周波数に切り替えて通信を行う必要がある。
【０００６】
これらのＰＨＳ携帯機での通信周波数の切り替えには、送受信のタイムスロット毎に２つのＶＣＯの出力を切り替える技術が利用される。
【０００７】
以下、送受信のタイムスロット毎に２つのＶＣＯの出力を切り替えるための従来の発振出力切替方式について説明する。
【０００８】
図５は、従来の発振出力切替方式を実現する発振出力切替装置の構成図である。
【０００９】
発振出力切替装置９００は、ＳＰＤＴ（ＳｉｎｇｌｅＰｏｌｅ  Ｄｕａｌ  Ｔｈｒｏｗ）スイッチ９０１〜９０３と、ＶＣＯ９１１及び位相同期ループ（ＰＬＬ：ｐｈａｓｅ  ｌｏｃｋｅｄ  ｌｏｏｐ）回路９２１と、ＶＣＯ９１２及びＰＬＬ回路９２２とから構成される。
【００１０】
ここで、ＶＣＯ９１１とＶＣＯ９１２とはそれぞれ異なる必要な周波数の発振出力信号を発生させるように調整される。また、ＳＰＤＴスイッチ９０１〜９０３は、例えばガリウム砒素（ＧａＡｓ）等のアイソレーション性能のよいスイッチである。
【００１１】
つまり、発振出力切替装置９００は、２系統の周波数発振機構を備え、２つの周波数のいずれかをＳＰＤＴスイッチを通じて出力するものである。
【００１２】
図６は、従来の発振出力切替方式において各ＶＣＯに供給する電源電圧を示したタイミングチャートである。
【００１３】
同図中、スロット１及びスロット２は、それぞれ６２５μｓの送信タイムスロットを表している。
【００１４】
スロット１及びスロット２の区間ではＶＣＯ９１１及びＶＣＯ９１２はそれぞれ発振出力を特定の高い周波数に固定、即ち、ＰＬＬ回路による位相のロック（ＰＬＬロック）がなされている必要がある。なお、発振開始又は周波数切替から安定した周波数に固定されるまで（ＰＬＬロックするまで）の期間（ＰＬＬロック期間）は、５００μｓ程度である。
【００１５】
従って、スロット１においてＶＣＯ９１１の発振出力が必要である場合に、ＰＬＬ回路９２１でＰＬＬロックを行うＰＬＬロック期間分だけスロット１の前から、ＶＣＯ９１１には電源電圧を供給しなければならず、このため同図に示すように、ＰＬＬ９２１ロック期間とスロット１とからなる期間においてＶＣＯ９１１に電源電圧を供給している。
【００１６】
また、同様にスロット２においてＶＣＯ９１２の発振出力が必要であるので、同図に示すように、ＰＬＬ９２２ロック期間とスロット２とからなる期間においてＶＣＯ９１２に電源電圧を供給している。各ＶＣＯに供給する電源電圧は、各ＶＣＯの出力レベルを−３ｄＢｍとするのに必要な電圧である。
【００１７】
なお、ＳＰＤＴスイッチ９０１〜９０３は、スロット１の期間においてＶＣＯ９１１の発振出力を選択して外部に出力するように制御され、スロット２の期間においてＶＣＯ９１２の発振出力を選択して外部に出力するように制御されるものである。アイソレーション性能を高めるために複数のＳＰＤＴスイッチが用いられている。
【００１８】
図７は、従来の発振出力切替装置における各ＶＣＯの出力レベルを示す図である。
【００１９】
同図では、図６に示したＰＬＬ９２２ロック期間における状態を示している。
【００２０】
各ＶＣＯは、単体における出力レベルを−３ｄＢｍとするように電源電圧を供給されており、その発振出力信号はＳＰＤＴスイッチへとＰＬＬ用とに分割されるので、出力レベルが１／２に半減し、即ち６ｄＢ減少し、結果として各ＶＣＯは、−９ｄＢｍの出力レベルの発振出力信号をＳＰＤＴスイッチ９０２又は９０３に向けて発することになる。
【００２１】
このように、両方のＶＣＯから発振出力信号が発されているので、スイッチとしては、選択している側のＶＣＯからの発振出力だけでなく選択していない側のＶＣＯからの発振出力がスプリアス信号として漏れ出してしまうことを防止する性能が要求され、従来はＳＰＤＴスイッチ９０１〜９０３のようにＧａＡｓＳＰＤＴスイッチを複数段接続してアイソレーション性能を良くしている。
【００２２】
【発明が解決しようとする課題】
しかしながら、ＧａＡｓＳＰＤＴスイッチ等のアイソレーション性能が良いスイッチは高価である。
【００２３】
そこで、本発明は、２つのＶＣＯ間のアイソレーションを高めることにより、スイッチに要求するアイソレーション性能を従来よりも低く抑えて、スイッチにかかるコストを低減する発振出力切替装置を提供すること及びこの発振出力切替装置を含む無線電話装置を提供することを目的とする。
【００２４】
【課題を解決するための手段】
上記課題を解決するために、本発明に係る発振出力切替装置は、ＰＬＬ制御により発振出力信号を発する第１及び第２の電圧制御発振回路と、前記第１及び第２の電圧制御発振回路のいずれか一方を選択して外部と接続することにより当該選択した電圧制御発振回路の発振出力信号を外部に与える切替スイッチと、各電圧制御発振回路についてのＰＬＬロック期間においては、当該ＰＬＬロック期間以後に当該電圧制御発振回路に電源電圧として与える電圧より低い電圧を、当該電圧制御発振回路に電源電圧として与える電源電圧制御手段とを備えることを特徴とする。
【００２５】
また、本発明に係る発振出力切替方法は、ＰＬＬ制御により発振出力信号を発する第１及び第２の電圧制御発振回路と、前記第１及び第２の電圧制御発振回路のいずれか一方を選択して外部と接続することにより当該選択した電圧制御発振回路の発振出力信号を外部に与える切替スイッチとを備える装置において、前記第１及び第２の電圧制御発振回路への電源電圧の供給制御と前記切替スイッチの切替制御とを行う発振出力切替制御方法であって、第１期間において第１の電圧制御発振回路を選択し前記第１期間に続く第２期間において第２の電圧制御発振回路を選択するように前記切替スイッチを制御し、前記第２期間において第２の電圧制御発振回路に所定電圧を与え、前記第１期間内であって前記第２期間の直前の、第２の電圧制御発振回路についてのＰＬＬロック期間において、第２の電圧制御発振回路に前記所定電圧未満の電圧を与えることを特徴とする。
【００２６】
ここで、ＰＬＬロック期間は、電圧制御発振回路（ＶＣＯ）が発する発振出力信号の周波数を固定させるＰＬＬロックに必要な期間であり、ＰＬＬロック期間にＶＣＯに与える電圧は当然ながらＰＬＬロックのために十分なものである。
【００２７】
上記構成により、ＶＣＯの電源電圧としてＰＬＬロック期間に続く出力期間に与える電圧より、ＰＬＬロック期間に与える電圧の方が低いため、一方のＶＣＯの出力期間と他方のＶＣＯのＰＬＬロック期間が重複した場合を考えると、ＰＬＬロック期間においても出力期間と同一の電圧をＶＣＯの電源電圧として与えている場合よりも、２つのＶＣＯ間のアイソレーションが高まる。従って、スイッチに要求されるアイソレーション性能は従来より低くなり、スイッチとして比較的安価なものを利用できるようになる。
【００２８】
また、本発明に係る無線電話装置は、無線基地局と時分割多重方式により無線通信を行う無線電話装置であって、アンテナを介して無線基地局と通信する高周波無線部と、ＰＬＬ制御により互いに異なる周波数の発振出力信号を発する第１及び第２の電圧制御発振回路と、前記第１及び第２の電圧制御発振回路のいずれか一方を選択して、前記高周波無線部と接続することにより当該選択した電圧制御発振回路の発振出力信号を前記高周波無線部に与える切替スイッチと、前記第１及び第２の電圧制御発振回路への電源電圧の供給制御と前記切替スイッチの切替制御とを行う制御手段とを備え、前記制御手段は、第１タイムスロットにおいて第１の電圧制御発振回路を選択し前記第１タイムスロットに続く第２タイムスロットにおいて第２の電圧制御発振回路を選択するように前記切替スイッチを制御し、前記第２タイムスロットにおいて第２の電圧制御発振回路に所定電圧を与え、前記第１タイムスロット内であって前記第２タイムスロットの直前の、第２の電圧制御発振回路についてのＰＬＬロック期間において、第２の電圧制御発振回路に前記所定電圧未満の電圧を与えることを特徴とする。
【００２９】
上記構成により、連続するタイムスロットで異なる周波数の発振出力を得るために２つのＶＣＯを切り替えるスイッチに要求されるアイソレーション性能は、ＶＣＯの電源電圧を一定にしている場合よりも低くなり、無線電話装置をより安価に構成することが可能になる。
【００３０】
【発明の実施の形態】
以下、本発明に係る発振出力切替装置の実施の形態について、図面を用いて説明する。
【００３１】
＜構成＞
図１は、本発明の実施の形態に係る発振出力切替装置１００の構成図である。
【００３２】
発振出力切替装置１００は、スイッチ１０１と、ＶＣＯ１１１及びＰＬＬ回路１２１と、ＶＣＯ１１２及びＰＬＬ回路１２２と、電源電圧供給部１３１と制御部１３０とから構成されるもので、ＰＨＳ携帯機に内蔵され、無線基地局とアンテナを介して高周波無線通信を行うための機構に、２種類の周波数のうちいずれか一方の発振出力を供給するものである。
【００３３】
ここで、電源電圧供給部１３１は、ＶＣＯ１１１及びＶＣＯ１１２の電源端子と接続され、制御部１３０の制御下で、ＶＣＯ１１１及びＶＣＯ１１２に電圧を供給する電源である。
【００３４】
制御部１３０は、ＰＨＳ携帯機の通信制御を行う機構の一部であり、例えばＣＰＵ及びメモリから構成され、送受信のタイムスロットに従ってスイッチ１０１の切替の制御を行うべくスイッチ１０１にスイッチ制御信号を与え、また、電源電圧供給部１３１を制御してＶＣＯ１１１及びＶＣＯ１１２に供給する電圧を変更する機能を有する。
【００３５】
ＶＣＯ１１１は、スイッチ１０１及びＰＬＬ回路１２１と接続され、電源電圧を供給されるとスイッチ１０１とＰＬＬ回路１２１とに発振出力信号を与えるものである。ＶＣＯ１１１は、ＰＬＬ回路１２１とのフィードバック制御により、電源電圧を供給されてから５００μｓ程度で発振出力信号の発振周波数を予め定められている特定の周波数に固定するものである。
【００３６】
ＶＣＯ１１２は、ＶＣＯ１１１と同等品であり、スイッチ１０１及びＰＬＬ回路１２２に接続され、電源電圧を供給されるとスイッチ１０１とＰＬＬ回路１２２とに発振出力信号を与えるものである。ＶＣＯ１１２は、ＰＬＬ回路１２２とのフィードバック制御により、電源電圧を供給されてから５００μｓ程度で発振出力信号の発振周波数を、ＶＣＯ１１１とは異なるように予め定められている特定の周波数に固定するものである。
【００３７】
なおＰＬＬ回路１２１及びＰＬＬ回路１２２のＰＬＬロックに必要なループバックの入力レベル、即ち、ＰＬＬロックに必要な、各ＶＣＯから供給される発振出力信号のレベルは、カタログ保証値において−１５ｄＢｍであり、常温における実力値では−３６ｄＢｍである。
【００３８】
スイッチ１０１は、例えば、ＧａＡｓＳＰＤＴスイッチであり、ＶＣＯ１１１及びＶＣＯ１１２と接続され、制御部１３０からのスイッチ制御信号に応じて切り替わり、ＶＣＯ１１１とＶＣＯ１１２とのいずれか一方を選択して発振出力切替装置１００の外部に接続する。つまり、スイッチ１０１は、スイッチ制御信号に応じてＶＣＯ１１１からの発振出力とＶＣＯ１１２からの発振出力とのいずれかを選択して、高周波無線通信を行うための機構に供給するものである。
【００３９】
＜動作＞
図２は、発振出力切替装置１００において各ＶＣＯに供給する電源電圧を示したタイミングチャートである。
【００４０】
同図中、スロット１及びスロット２は、それぞれ６２５μｓの送信タイムスロットを表している。また、ＰＬＬ回路１２１によるＰＬＬロックに十分な期間をＰＬＬ１２１ロック期間とし、ＰＬＬ回路１２２によるＰＬＬロックに十分な期間をＰＬＬ１２２ロック期間としている。ＰＬＬ１２１ロック期間及びＰＬＬ１２２ロック期間は予め定めており、例えば５５０μｓである。
【００４１】
ここでは、例えば、シームレスハンドオーバを実現するために通信チャネルでの通信している以外の送受信のタイムスロットにおいて制御チャネルで強い電波の無線基地局をサーチする等のために、スロット１においてＶＣＯ１１１の発振出力を外部に供給する必要があり、スロット２においてＶＣＯ１１２の発振出力を外部に供給する必要があるという場合を例にして説明する。
【００４２】
制御部１３０は、図２に示すように、スロット１の直前のＰＬＬ１２１ロック期間において、電源電圧供給部１３１からＶＣＯ１１１に２．２Ｖの電圧をかけるよう制御し、スロット１の期間においてＶＣＯ１１１に２．８Ｖの電圧をかけるよう制御する。
【００４３】
図３は、ＶＣＯの電源電圧−出力レベル特性を示す図である。
【００４４】
同図に示すように、ＶＣＯ１１１又はＶＣＯ１１２に、２．２Ｖの電源電圧を与えると出力レベルが−９ｄＢｍとなり、また２．８Ｖの電源電圧を与えると出力レベルが−３ｄＢｍとなる。なお、ＶＣＯに与える電源電圧によりＶＣＯの発振周波数が決定されるのではない。
【００４５】
このＶＣＯ１１１の出力が、ＰＬＬ１２１ロック期間においては−９ｄＢｍという小さいレベルのものとなっており、スロット１の期間においては−３ｄＢｍという大きなレベルのものとなっていることを、図２では出力波形の振幅の大小によって表している。
【００４６】
また、制御部１３０は、図２に示すように、スロット２の直前のＰＬＬ１２２ロック期間において、電源電圧供給部１３１からＶＣＯ１１２に２．２Ｖの電圧をかけるよう制御し、スロット２の期間においてＶＣＯ１１２に２．８Ｖの電圧をかけるよう制御する。
【００４７】
この結果、ＶＣＯ１１２の出力は、図２に示すようにＰＬＬ１２２ロック期間においては小さいレベルのものとなっており、スロット２の期間においては大きなレベルのものとなっている。
【００４８】
各ＶＣＯに２．８Ｖの電源電圧を与えた場合に、ＶＣＯの発振出力信号はスイッチ１０１へと各ＰＬＬ回路へとに分割されるので、−３ｄＢｍなる出力レベルが１／２に半減し、即ち６ｄＢ減少し、結果として各ＶＣＯは、−９ｄＢｍの出力レベルの発振出力信号をスイッチ１０１及び各ＰＬＬ回路に発することになる。なお、この−９ｄＢｍの出力レベルの発振出力信号は、発振出力切替装置１００の外部の高周波無線通信を行うための機構に要求される出力レベルを十分満たすものである。
【００４９】
また、各ＶＣＯに２．２Ｖの電源電圧を与えた場合にも同様に−９ｄＢｍなる出力レベルの発振出力信号は分割されて出力レベルが６ｄＢ減少し、結果として各ＶＣＯは、−１５ｄＢｍの出力レベルの発振出力信号をスイッチ１０１及び各ＰＬＬ回路に発することになる。これによりＰＬＬ１２１ロック期間及びＰＬＬ１２２ロック期間において、カタログ保証値として、ＰＬＬロックアップに必要なレベル、即ち−１５ｄＢｍの発振出力信号が各ＰＬＬ回路に供給されることになる。
【００５０】
図４は、発振出力切替装置１００における各ＶＣＯの出力レベルを示す図である。
【００５１】
同図では、図２に示したＰＬＬ１２２ロック期間における状態を示している。
【００５２】
ＰＬＬ１２２ロック期間では、スイッチ１０１によりＶＣＯ１１１が選択されておりＶＣＯ１１２が選択されていない状態、即ちＶＣＯ１１１の発振出力信号が発振出力切替装置１００の外部に出力されている状態である。
【００５３】
同図に示すように、このＰＬＬ１２２ロック期間においては、ＶＣＯ１１１は出力レベルが−９ｄＢｍの発振出力信号をスイッチ１０１に対して発し、またＶＣＯ１１２は出力レベルが−１５ｄＢｍの信号をスイッチ１０１に対して発する。
【００５４】
従って、図４に示した発振出力切替装置１００における各ＶＣＯの出力レベルと、図７に示した従来の発振出力切替方式による各ＶＣＯの出力レベルと比較すると、スイッチに選択されていない側の出力レベルが発振出力切替装置１００では、従来のものより６ｄＢ低下しており、この分だけスイッチに要求されるアイソレーション性能は従来より低くなる。
【００５５】
なお、ＰＬＬロックの実力値に合わせて、制御部１３０がＰＬＬ１２１ロック期間において、電源電圧供給部１３１からＶＣＯ１１１に、２．２Ｖに代えて１．７５Ｖの電圧をかけるよう制御し、またＰＬＬ１２２ロック期間において電源電圧供給部１３１からＶＣＯ１１２に、２．２Ｖに代えて１．７５Ｖの電圧をかけるよう制御することとしてもよい。この場合は各ＶＣＯは出力レベルが−３０ｄＢｍの信号を出力することになるので（図３参照）、各ＶＣＯはスイッチ及びＰＬＬ回路に対して−３６ｄＢｍの発振出力信号を発する。この場合、ＰＬＬ１２２ロック期間における各ＶＣＯの出力レベルは図４中において括弧内の数値で示している。
【００５６】
つまり、実力値においては、スイッチに選択されていない側のＶＣＯのスイッチに向けての出力レベルが、従来のものより２７ｄＢも低下し、この分だけスイッチに要求されるアイソレーション性能は従来より大幅に低くなる。
【００５７】
＜補足＞
以上、本発明に係る発振出力切替装置について、実施の形態に基づいて説明したが、本発明はこの実施の形態に限られないことは勿論である。即ち、
（１）本実施の形態では、発振出力切替装置１００は、１つのスイッチ１０１のみを備えることとしたが、従来の発振出力切替装置９００と同様に３つのスイッチにより構成されるものとしてもよい。但し、スイッチに要求されるアイソレーション性能は従来より低くなるので、より安価なスイッチを利用することが可能となる。
【００５８】
また、スイッチ１０１は、必ずしもＧａＡｓＳＰＤＴスイッチでなくてもよく、他の材質のスイッチであってもよい。即ち、スイッチ１０１としては、必要なアイソレーション性能を満たす範囲で最低限のコストのものを利用することができる。
（２）本実施の形態では、ＶＣＯに、スイッチを通じて発振出力切替え装置の外部に出力させるための期間には２．８Ｖの電源電圧を与え、またＰＬＬロック期間においては２．２Ｖの電源電圧を与えることとしたが、本発明はこれらの電圧値に限定されることはない。即ち、外部に十分な出力レベルの発振出力信号を出力させるためにＶＣＯに与える電圧をαとすると、その電圧αを与える直前のＰＬＬロック期間においては、ＰＬＬロックに最低限必要な電圧以上であってαより低い電圧βをＶＣＯに与えることにすればよい。つまり、スイッチに選択されたＶＣＯがスイッチを通じて外部に発振出力信号を出力する出力期間においてそのＶＣＯに与える電源電圧より、出力期間の直前のＰＬＬロック期間においてそのＶＣＯに与える電源電圧は、低くかつＰＬＬロックに十分なものであることとすればよい。
【００５９】
なお、本実施の形態では、ＶＣＯ１１１とＶＣＯ１１２とは同等品であることとしたが、必ずしも同等でなくてもよい。同等でない場合には、各ＶＣＯに与える電圧値を各ＶＣＯについての電源電圧−出力レベル特性に応じてそれぞれ適したものにすればよい。
【００６０】
【発明の効果】
以上の説明から明らかなように、本発明に係る発振出力切替装置は、ＰＬＬ制御により発振出力信号を発する第１及び第２の電圧制御発振回路と、前記第１及び第２の電圧制御発振回路のいずれか一方を選択して外部と接続することにより当該選択した電圧制御発振回路の発振出力信号を外部に与える切替スイッチと、各電圧制御発振回路についてのＰＬＬロック期間においては、当該ＰＬＬロック期間以後に当該電圧制御発振回路に電源電圧として与える電圧より低い電圧を、当該電圧制御発振回路に電源電圧として与える電源電圧制御手段とを備えることを特徴とする。
【００６１】
これにより、ＶＣＯの電源電圧としてＰＬＬロック期間に続く出力期間に与える電圧より、ＰＬＬロック期間に与える電圧の方が低いため、一方のＶＣＯの出力期間と他方のＶＣＯのＰＬＬロック期間が重複した場合を考えると、ＰＬＬロック期間においても出力期間と同一の電圧をＶＣＯの電源電圧として与えている場合よりも、２つのＶＣＯ間のアイソレーションが高まる。従って、スイッチに要求されるアイソレーション性能は従来より低くなり、スイッチとして比較的安価なものを利用できるようになる。
【００６２】
また、前記発振出力切替装置は、第１期間において第１の電圧制御発振回路を選択し、前記第１期間に続く第２期間において第２の電圧制御発振回路を選択するように前記切替スイッチを制御するスイッチ制御手段を備え、前記電源電圧制御手段は、前記第２期間において第２の電圧制御発振回路に所定電圧を与え、前記第１期間内であって前記第２期間の直前の、第２の電圧制御発振回路についてのＰＬＬロック期間において、第２の電圧制御発振回路に前記所定電圧未満の電圧を与えることとしてもよい。
【００６３】
これにより、各ＶＣＯからの発振出力が連続的に必要な場合において、スイッチに選択された状態となるときに与えられる電源電圧、即ち外部に出力するために必要な出力レベルを確保するために与えられる電源電圧より、スイッチに選択されていない状態となるときにＰＬＬロックのために与えられる電源電圧の方が小さくなる。従って、両ＶＣＯが共に発振出力信号を発生している場合においても、選択されていない側であるＰＬＬロック中のＶＣＯからの発振出力信号のレベルが低下し、この結果、スイッチに要求されるアイソレーション性能は低くなる。
【００６４】
また、本発明に係る無線電話装置は、無線基地局と時分割多重方式により無線通信を行う無線電話装置であって、アンテナを介して無線基地局と通信する高周波無線部と、ＰＬＬ制御により互いに異なる周波数の発振出力信号を発する第１及び第２の電圧制御発振回路と、前記第１及び第２の電圧制御発振回路のいずれか一方を選択して、前記高周波無線部と接続することにより当該選択した電圧制御発振回路の発振出力信号を前記高周波無線部に与える切替スイッチと、前記第１及び第２の電圧制御発振回路への電源電圧の供給制御と前記切替スイッチの切替制御とを行う制御手段とを備え、前記制御手段は、第１タイムスロットにおいて第１の電圧制御発振回路を選択し前記第１タイムスロットに続く第２タイムスロットにおいて第２の電圧制御発振回路を選択するように前記切替スイッチを制御し、前記第２タイムスロットにおいて第２の電圧制御発振回路に所定電圧を与え、前記第１タイムスロット内であって前記第２タイムスロットの直前の、第２の電圧制御発振回路についてのＰＬＬロック期間において、第２の電圧制御発振回路に前記所定電圧未満の電圧を与えることを特徴とする。
【００６５】
これにより、連続するタイムスロットで異なる周波数の発振出力を得るために２つのＶＣＯを切り替えるスイッチに要求されるアイソレーション性能は、ＶＣＯの電源電圧を一定にしている場合よりも低くなり、無線電話装置をより安価に構成することが可能になる。
【図面の簡単な説明】
【図１】本発明の実施の形態に係る発振出力切替装置１００の構成図である。
【図２】発振出力切替装置１００において各ＶＣＯに供給する電源電圧を示したタイミングチャートである。
【図３】ＶＣＯの電源電圧−出力レベル特性を示す図である。
【図４】発振出力切替装置１００における各ＶＣＯの出力レベルを示す図である。
【図５】従来の発振出力切替方式を実現する発振出力切替装置の構成図である。
【図６】従来の発振出力切替方式において各ＶＣＯに供給する電源電圧を示したタイミングチャートである。
【図７】従来の発振出力切替装置における各ＶＣＯの出力レベルを示す図である。
【符号の説明】
１００          発振出力切替装置
１０１          スイッチ
１１１，１１２  ＶＣＯ
１２１，１２２  ＰＬＬ回路
１３０          制御部
１３１          電源電圧供給部
【図１】
0003749075.tif 000002
【図２】
0003749075.tif 000003
【図３】
0003749075.tif 000004
【図４】
0003749075.tif 000005
【図５】
0003749075.tif 000006
【図６】
0003749075.tif 000007
【図７】
0003749075.tif 000008